(57)【要約】      （修正有）【課題】結線接続が容易でかつ確実に行える結線ボックスを提供する。【解決手段】結線ボックスＡで結線する電源回線、負荷器具としての照明器具用回線７、スイッチ回線８、センサー電源回線９、センサー負荷回線１０の各ケーブルを、予め結線図に従って結線ボックスＡ内で接続し、各回線を結線ボックスＡの外側に導出した。また、結線ボックスＡで結線する電源回線、負荷器具としての照明器具用回線７、スイッチ回線８、センサー電源回線９、センサー負荷回線１０の各ケーブルを、予め結線図に従って結線ボックスＡ内で接続し、結線ボックスＡの外側面に各回線の端子を設けることもできる。【選択図】図１
0003232052.tif 000002
【実用新案登録請求の範囲】
【請求項１】
当該結線ボックスで結線する電源回線、負荷器具の回線、スイッチ回線、センサー回線の各ケーブルを、予め結線図に従って結線ボックス内で接続し、前記各回線を当該結線ボックスの外側に導出したことを特徴とする、結線ボックス。
【請求項２】
当該結線ボックスで結線する電源回線、負荷器具の回線、スイッチ回線、センサー回線の各ケーブルを、予め結線図に従って結線ボックス内で接続し、当該結線ボックスの外側面に前記各回線の端子を設けたことを特徴とする、結線ボックス。
【請求項３】
前記負荷器具の回線が照明器具用、換気扇用、又は回転灯用のいずれか１つ又は複数の回線であることを特徴とする、請求項１又は２に記載の結線ボックス。
【考案の詳細な説明】
【技術分野】
【０００１】
この考案は、室内の天井裏等の配線接続部に配設する結線ボックスに関するものである。
【背景技術】
【０００２】
従来は、結線用のジャンクションボックスを用意し、天井裏の吊りボルト等にこの結線ボックスを固定し、配線図を見ながら、その中で電源やスイッチ等のケーブルを圧着端子によって接続を行い、最後に絶縁テープを巻くという工程でケーブル結線作業を行っていた。
【０００３】
この結線ボックスは、特許文献１〜３に示すように、開口部を有する箱型の本体と、当該開口部を塞ぐ蓋体からなり、接続するケーブルを箱本体に挿入する配線用きり欠き穴叉は薄肉部を側面に有する。
【先行技術文献】
【特許文献】
【０００４】
【特許文献１】実開平０２−６０４２２号公報
【特許文献２】特公昭６２−２１３５１１号公報
【特許文献３】特開昭５２−１２９９９１号公報
【考案の開示】
【考案が解決しようとする課題】
【０００５】
これらの引用文献１〜３はいずれも結線ボックス内に接続するケーブルを導入して、この中で各ケーブルを結線図を見ながら接続している。この様に多数の配線を当該結線ボックスに集めて、それらを接続する場合、問題点として、結線図を見ながら結線作業をするので、結線を間違い易い。天井裏で小さな結線ボックス内で結線作業をする場合が多いので、結線不良を生じ易い。また、結線後に各接続ケーブルの接続部外周に絶縁テープを巻く、絶縁作業を行うので時間と手間がかかる。
【０００６】
この考案は、上記の点に着目し、結線接続が容易でかつ確実に行える結線ボックスを提供することを目的としたものである。
【課題を解決するための手段】
【０００７】
請求項１の考案は、当該結線ボックスで結線する電源回線、負荷器具の回線、スイッチ回線、センサー回線の各ケーブルを、予め結線図に従って結線ボックス内で接続し、前記各回線を当該結線ボックスの外側に導出した、結線ボックスとした。
【０００８】
請求項２の考案は、当該結線ボックスで結線する電源回線、負荷器具の回線、スイッチ回線、センサー回線の各ケーブルを、予め結線図に従って結線ボックス内で接続し、当該結線ボックスの外側面に前記各回線の端子を設けた、結線ボックスとした。
【０００９】
請求項３の考案は、前記負荷器具の回線が照明器具用、換気扇用、又は回転灯用のいずれか１つ又は複数の回線である、請求項１又は２に記載の結線ボックスとした。
【考案の効果】
【００１０】
請求項１の考案によれば、結線ボックス内で電源回線、負荷器具の回線、スイッチ回線、センサー回線を予め結線、接続しており、かつ、これらの回線が結線ボックスから外部に導出されているため、これらの回線を外部の電源回線、負荷器具、スイッチ、センサー等に接続すれば、直ちに負荷器具を使用できる。従って、天井裏等の狭い場所でケーブル接続が不要となり、作業が容易、迅速に行える。その上、多数の回線の接続間違いがなく、また、結線不良が生じにくい。
【００１１】
従って、具体的には、例えばトイレ等の部屋の照明器具や換気扇の回線が簡単、迅速かつ正確に結線ボックスで接続され、スイッチを自動にすれば、人がトイレに入るとセンサーにより感知して、照明器具がオンとなり点灯し、また、換気扇が作動する。
【００１２】
また、請求項２の考案によれば、結線ボックス内で電源回線、負荷器具の回線、スイッチ回線、センサー回線を予め結線、接続しているため、結線ボックスを予定箇所に固定し、使用する各回線の端末を結線ボックスの外側の端子に接続すれば、各回線は接続され、負荷器具が使用できる。
【００１３】
また、請求項３の考案によれば、照明器具用の回線又は照明器具用の回線及び換気扇用の回線であるため、公共施設のトイレ、洗面所、更衣室等の照明回路に適しており、これらの回路の接続が容易、迅速、かつ正確に行える。
【図面の簡単な説明】
【００１４】
【図１】この考案の実施の形態例１の結線ボックスのケーブル接続状態において蓋を外した状態の正面図である。
【図２】この考案の実施の形態例１の結線ボックスのケーブル接続状態を示す斜視図である。
【図３】この考案の実施の形態例１の結線ボックスで接続するケーブルの回線接続展開図である。
【図４】この考案の実施の形態例２の結線ボックスの斜視図である。
【考案を実施するための形態】
【００１５】
（実施の形態例１）
この考案の実施の形態例１の結線ボックスＡを図１〜図３に基づいて説明する。
【００１６】
図１〜３は結線ボックスＡを使用した、トイレの照明器具を負荷器具とした実施の形態例１であり、当該結線ボックスＡは図１及び図２に示すように、上面が開口した箱形本体１と、前記開口部を塞ぐ蓋２とから成る。また、箱形本体の上下の外側面に扁平な箱形の端子体３、４がそれぞれ設けられている。
【００１７】
この端子体３は外部電源回線を接続する端子であり、一側には当該結線ボックスＡ内に電源を供給する電源接続回線５を接続し、当該電源接続回線５の他端は結線ボックスＡ内に導入されている。また、端子体４は外部の増設ユニットの親器連動入力端子であり、当該端子体４の一側には当該結線ボックスＡ内から導出した連動接続回線６が接続されている。
【００１８】
また、当該結線ボックスＡの、前記電源接続回線５及び連動接続回線６が導出された一側端面から照明器具用回線７が導出されている。また、当該結線ボックスＡの他側端面からスイッチ回線８、センサー電源回線９及びセンサー負荷回線１０が導出されている。
【００１９】
そして、前記電源接続回線５、連動接続回線６、照明器具用回線７、スイッチ回線８、センサー電源回線９及びセンサー負荷回線１０が、図１に示すように、結線ボックスＡ内で接続されている。また、各回線の接続部には絶縁テープ１１が巻かれている。この各回線の接続は図３に示すように接続、結線されている。
【００２０】
この様に予め回線が接続された結線ボックスＡを実際に使用するには、接続された上記電源接続回線５、連動接続回線６、照明器具用回線７、スイッチ回線８、センサー電源回線９及びセンサー負荷回線１０をそれぞれの元線或いは機器に接続する。具体的には、前記端子体３の端子に外部電源回線（図示省略）の一端を接続し、また、前記照明器具用回線７の一端を照明器具１２に接続する。また、前記スイッチ回線８の一端を操作ユニット１３に接続し、前記センサー電源回線９及びセンサー負荷回線１０をセンサー親器１４にそれぞれ接続する。
【００２１】
また、必要に応じて隣接するトイレの照明器具等に連動させるには、当該照明器具等の電源回線や連動入力回線の一端（図示省略）を前記増設ユニットである端子体４の端子に接続する。
【００２２】
これにより各回線が接続され、操作ユニット１３のスイッチを自動にすれば、当該トイレに人が入るとセンサーが感知して照明器具１２が点灯する。またトイレから人が退出すると、照明器具１２は消灯する。この様な回路に換気扇の回線を採用し、前記照明器具１２と同様にオンオフさせることもできる。
【００２３】
また、上記実施の形態例１では、箱形本体１から照明器具用回線７、スイッチ回線８、センサー電源回線９及びセンサー負荷回線１０が導出したものであるが、図４に示すこの考案の実施の形態例２では、これらの回線が出ていない。代わりに、箱本体１の側面に設けた端子台１５に前記各回線の端子１６を設けたものである。
【００２４】
従って、この実施の形態例２では、箱形本体１内で上記実施の形態例１の結線ボックスＡと同様に各回線が予め接続されている。それ故、当該結線ボックスＢを天井裏の吊りボルト等に固定した後で、端子体３、４の端子や端子台１５の各端子１６に、電源回線、照明器具用回線７、スイッチ回線８、センサー電源回線９、センサー負荷回線１０及び必要に応じて増設ユニットの各回線を接続する。
【００２５】
この場合も結線ボックスＢ内での回線の接続作業は予め行われており、現場では結線ボックスＢ内での接続作業はない。従って外部からの回線の一端をそれぞれ決められた端子に接続すればよい。その際、端子に接続すべき回線の名称、記号等を表示すると接続作業をスムーズに行うことができる。
【００２６】
また、上記実施の形態例１，２では、トイレの照明器具の回路について説明したが、トイレに限らず、公共施設等の洗面所、更衣室等の小部屋等の照明器具の回路、換気扇の回路、冷暖房器具の回路等、他の機器の回路にも適用できる。
【符号の説明】
【００２７】
Ａ        結線ボックス              Ｂ      結線ボックス
１        箱形本体                  ２      蓋
３        端子体                    ４      端子体
５        電源回線                  ６      連動回線
７        照明器具用回線            ８      スイッチ回線
９        センサー電源回線          １０    センサー負荷回線
１１      絶縁テープ                １２    照明器具
１３      操作ユニット              １４    センサー親器  
１５      端子台                    １６    端子
【図１】
0003232052.tif 000003
【図２】
0003232052.tif 000004
【図３】
0003232052.tif 000005
【図４】
0003232052.tif 000006